(57)【要約】【課題】  市場にて原稿台ガラスの交換、あるいは製造工程での原稿台ガラス設置の際、原稿台ガラスのＥＣコートに起因する読み取りレベル変動の補正を行うための補正係数算出において、ＥＣコートのない原稿台ガラスと濃度基準チャートを用意しなければならなかった。また、補正係数がすでに用意されている場合でも、それを操作部より入力するという作業は発生するため、作業者の手を煩わせてしまっていた。【解決手段】  原稿台ガラス１０１の原稿画像領域外にレベル変動率を算出するための補正白板３０２を設け、補正白板３０２読み取り結果とシェーディングターゲット値の比率から補正量を算出し、その補正量に基づいてシェーディングターゲット値を変更することにより、原稿台ガラスＥＣコートに起因する読み取りレベル変動を補正するようにした。【選択図】        図１
2007006225.tif 000002
【特許請求の範囲】
【請求項１】
導電性のコーティング処理がなされ、原稿を載置する原稿台ガラスと、
前記原稿台ガラスに載置された原稿の画像を読み取る読み取り手段と、
シェーディング係数を算出するための第１の基準白板と、
前記原稿台ガラスの透過率補正値を算出するための第２の基準白板と、
前記第１の基準白板を前記読み取り手段で読み取った結果から基準値に基づいてシェーディング係数を算出するシェーディング補正手段と、
前記第２の基準白板を前記読み取り手段で読み取った結果に基づいて前記原稿台ガラスの透過率補正値を算出する透過率補正手段と、
前記透過率補正手段により算出された前記透過率補正値に基づいて、前記シェーディング補正手段によるシェーディング係数算出の際に使用する基準値を変更するための制御手段と、
を有することを特徴とする画像読み取り装置。
【請求項２】
前記透過率補正手段は、前記読み取り手段による前記第２の基準白板の読み取り時には、前記シェーディング補正手段によるシェーディング係数算出のための基準値を変更することを特徴とする請求項１記載の画像読み取り装置。
【請求項３】
前記第２の基準白板は、前記原稿台ガラスの原稿読取領域外に設けられていることを特徴とする請求項１記載の画像読み取り装置。
【請求項４】
前記導電性のコーティング処理は、ＥＣコート処理であることを特徴とする請求項１記載の画像読み取り装置。
【請求項５】
導電性のコーティング処理がなされ、原稿を載置する原稿台ガラスと、前記原稿台ガラスに載置された原稿の画像を読み取る読み取り手段と、シェーディング係数を算出するための第１の基準白板と、前記原稿台ガラスの透過率補正値を算出するための第２の基準白板と、を有する画像読み取り装置の制御方法であって、
前記第１の基準白板を前記読み取り手段で読み取った結果に基づいてシェーディング係数を算出するシェーディング補正ステップと、
前記第２の基準白板を前記読み取り手段で読み取った結果に基づいて前記原稿台ガラスの透過率補正値を算出する透過率補正ステップと、
前記透過率補正ステップにおいて算出された前記透過率補正値に基づいて、前記シェーディング補正ステップにおけるシェーディング係数算出の際に使用する基準値を変更するための制御ステップと、
を有することを特徴とする画像読み取り装置の制御方法。
【発明の詳細な説明】
【技術分野】
【０００１】
本発明は、原稿を読み取る画像読み取り装置、及び画像読み取り装置の制御方法に関し、原稿台ガラスと濃度基準が貼られているガラスの透過率差に起因する読み取りレベルの違いを補正する画像読み取り装置、及び画像読み取り装置の制御方法に関するものである。
【背景技術】
【０００２】
複写機などに用いられる画像読み取り装置では、一般にシェーディング補正が行われている。
【０００３】
シェーディング補正はラインセンサの画素ごとの感度バラツキ、原稿を照明する光源の配光、光学レンズの端部光量劣化による読み取りデータの不均一を補正するものである。
【０００４】
シェーディング補正を行うためのシェーディング係数は濃度基準の読み取りデータが所定の基準値になるように生成される。基準値は所定濃度の原稿を読み取った際に、それが所定の濃度データとして画像出力されるように設定されているものである。
【０００５】
濃度基準の配置・構成、および原稿読み取り動作を図１の画像読み取り装置１００の構成図を用いて説明する。
【０００６】
１０１が原稿を載置するための原稿台ガラスである。１０２は濃度基準であり、一般的には白色の部材である。以降、濃度基準１０２を基準白板と呼ぶ。１０３は基準白板ガラスであり、基準白板１０２はこのガラスに貼り付けられている。
【０００７】
基準白板ガラス１０３は原稿台ガラス１０１と同じ厚さであり、基準白板１０２を原稿台ガラス１０１に載置される原稿と同じ条件で読み取るために設けている。したがって、基準白板１０２の読み取りは基準白板ガラス１０３を通して読み取られることになる。
【０００８】
また、原稿の搬送経路を確保するため原稿台ガラス１０１と基準白板１０２および基準白板ガラス１０３を分離させて配置する構成としている。
【０００９】
原稿は原稿台ガラス１０１に載置され、ランプ１０４、反射笠１０５により照明され、原稿からの反射光は第１ミラー１０６、第２ミラー１０７、第３ミラー１０８、レンズ１０９を介してラインセンサ１１０上に結像され、原稿反射光は電気信号に変換される。ここで、ランプ１０４、反射笠１０５、第１ミラー１０６から構成される部品群を第１ミラーユニット１１１、第２ミラー１０７と第３ミラー１０８から構成される部品群を第２ミラーユニット１１２と呼ぶ。
【００１０】
１１３は原稿搬送装置である。１１４は原稿トレイであり、原稿トレイ１１４上には原稿が置かれたことを検出する原稿センサ１１５が設置されている。原稿センサ１１５により原稿が原稿トレイ１１４に置かれたことが検知され、ユーザーによりスタートキーが押されると原稿の搬送が開始される。
【００１１】
１１６は給紙ローラ、１１７は分離搬送ローラである。
【００１２】
給紙ローラ１１６は原稿トレイ１１４の上方に配置されており、給紙ローラ１１６は分離搬送ローラ１１７の回転駆動に連れて回転し、原稿を給紙するようになっている。給紙ローラ１１６は通常、ホームポジションである上方（図中実線位置）に待避している位置をとり、原稿セット作業を阻害しないようにしている。給紙動作が開始されると図中点線位置に下降して原稿の上面に当接する。分離搬送ローラ１１７は図示しないアームにて軸支されており、アームを揺動して給紙ローラ１１６を上下に動かせるようになっている。
【００１３】
１１８は分離パッドである。分離パッド１１８は分離搬送ローラ１１７の対向側に配置され、分離搬送ローラ１１７側に圧を加えている。分離パッド１１８は分離搬送ローラ１１７より摩擦が若干小さいゴム材料などで形成され、給紙ローラ１１６にて給紙される原稿束を一枚毎にさばき、分離搬送ローラ１１７で給紙するようになっている。
【００１４】
１１９はレジストローラ、１２０はレジスト従動ローラである。レジストローラ１１９、レジスト従動ローラ１２０は分離部にて給紙された原稿の先端をそろえるレジスト手段であり、静止したレジストローラ１１９、レジスト従動ローラ１２０のニップ部に向けて分離した原稿先端を突き当て、原稿にループを生じさせて先端をそろえている。
【００１５】
１２１は搬送ベルト駆動ローラ、１２２は搬送ベルト従動ローラ、１２３は搬送ベルトである。原稿は搬送ベルト駆動ローラ１２１，搬送ベルト従動ローラ１２２により駆動される搬送ベルト１２３により原稿台ガラス１０１上に搬送され、原稿の読み取りが行われる。原稿の読み取りが終了すると、原稿は排紙トレイ１２４に排紙される。
【００１６】
画像読み取り装置１００は原稿を搬送しながら読み取りを行う流し読み、搬送された原稿をいったん原稿台ガラス１０１に載置した後に読み取りを行う原稿固定読みの２つの方式の原稿画像読み取りが可能である。
【００１７】
画像読み取り開始時にまず、光学モータ（図示せず）によって第１ミラーユニット１１１、第２ミラーユニット１１２が基準白板１０２下に移動させられる。
【００１８】
基準白板１０２の下で、原稿照明ランプ１０４を消灯した状態で読み取りを行い、黒シェーディング係数の算出が行われる。続いて、原稿照明ランプ１０４を点灯させた状態で基準白板１０２で読み取り、その画像信号から白シェーディング係数の算出が行われる。
【００１９】
シェーディング係数算出後、原稿固定読みでは原稿照明ランプ１０４点灯のまま光学モータによって第１ミラーユニット１１１、第２ミラーユニット１１２を矢印Ａ方向に移動走査させ、原稿台ガラス１０１上の原稿画像の読み取りが行われる。読み出された画像信号はシェーディング補正係数との演算処理が施され、画像データとして後段の回路に出力される。
【００２０】
流し読みでは第１ミラーユニット１１１、第２ミラーユニット１１２を流し読み位置まで移動、停止した後、原稿搬送装置１１３により搬送移動中の原稿の読み取りが行われる。
【００２１】
流し読みが可能な画像読み取り装置では原稿台ガラス１０１と原稿の摩擦により発生する静電気により原稿が原稿台ガラス１０１に貼り付いてしまい、搬送ジャムを引き起こすことがある。これを防止するため、原稿台ガラス１０１に導電性のコーティング（以下、ＥＣコートと称する）を施し、静電気の発生を抑制している。
【００２２】
しかしながら、導電性コーティングされたガラスは通常のノンコートのガラスに対して透過率が低下するという特性があり、そのため、基準白板１０２が貼られている基準白板ガラス１０３にＥＣコート処理が施されていない場合、基準白板読み取りデータから基準値にしたがって算出されたシェーディング係数でＥＣコート処理が施されている原稿台ガラス１０１上の原稿を読んだ場合、所定レベルの画像データが得られないという問題が生じる。
【００２３】
さらに、ＥＣコート処理されたガラスの透過率には製造ばらつきがあるため、上記問題に対して一律固定値で補正を行うこともできず、また、基準白板ガラスにＥＣコート処理が施したとしても、両者の透過率が異なった場合には同様に所定レベルの画像データが得られないという問題が生じる。
【００２４】
このような問題を改善する方法として、ＥＣコート処理されたガラスの透過率ばらつきを考慮したシェーディング係数設定を行うことにより読み取りレベル低下を補正する方法を提案している（例えば、特許文献１参照。）。
【００２５】
具体的にはＥＣコートのない原稿台ガラス、ＥＣコートの施された原稿台ガラスとで基準となるチャートをそれぞれ読み取り、各読み取りレベルの比を算出する。そして、それを読み取りレベル低下分を補うための係数をとして操作部より入力し、シェーディングターゲット値と演算してシェーディングターゲット値を変更することにより上記問題の解決を実現させている。
【特許文献１】特開２００２−１９９２１７号公報（第１０頁、図８、および第１２頁、図９）
【発明の開示】
【発明が解決しようとする課題】
【００２６】
しかし乍ら、かかる特許文献１では、何らかの理由で市場にて原稿台ガラスの交換を行う場合、補正係数算出のためにＥＣコートのないガラスとチャートを用意しなければならない。また、補正係数がすでに用意されている場合でも、それを操作部より入力するという作業は発生するため、作業者の手を煩わせてしまうという問題点があった。
【００２７】
本発明は上記の点に着目して成されたもので、シェーディング補正時における補正係数算出のための基準チャートを読み取らせることや、補正係数を操作部から入力する煩雑を回避するとともに、正確に補正係数を算出することが可能な画像読み取り装置、及び画像読み取り装置の制御方法を提供することを目的とする。
【課題を解決するための手段】
【００２８】
上記の目的を達成するため、本発明に係る画像読み取り装置は、導電性のコーティング処理がなされ、原稿を載置する原稿台ガラスと、前記原稿台ガラスに載置された原稿の画像を読み取る読み取り手段と、シェーディング係数を算出するための第１の基準白板と、前記原稿台ガラスの透過率補正値を算出するための第２の基準白板と、前記第１の基準白板を前記読み取り手段で読み取った結果に基づいてシェーディング係数を算出するシェーディング補正手段と、前記第２の基準白板を前記読み取り手段で読み取った結果から基準値に基づいて前記原稿台ガラスの透過率補正値を算出する透過率補正手段と、前記透過率補正手段により算出された前記透過率補正値に基づいて、前記シェーディング補正手段によるシェーディング係数算出の際に使用する基準値を変更するための制御手段と、を有することを特徴とする。
【００２９】
また、本発明に係る画像読み取り装置の制御方法は、導電性のコーティング処理がなされ、原稿を載置する原稿台ガラスと、前記原稿台ガラスに載置された原稿の画像を読み取る読み取り手段と、シェーディング係数を算出するための第１の基準白板と、前記原稿台ガラスの透過率補正値を算出するための第２の基準白板と、を有する画像読み取り装置の制御方法であって、前記第１の基準白板を前記読み取り手段で読み取った結果から基準値に基づいてシェーディング係数を算出するシェーディング補正ステップと、前記第２の基準白板を前記読み取り手段で読み取った結果に基づいて前記原稿台ガラスの透過率補正値を算出する透過率補正ステップと、前記透過率補正ステップにおいて算出された前記透過率補正値に基づいて、前記シェーディング補正ステップにおけるシェーディング係数算出の際に使用する基準値を変更するための制御ステップと、を有することを特徴とする。
【発明の効果】
【００３０】
本発明によれば、シェーディング補正時における補正係数算出のための基準チャートが不要になり、またオペレータによる操作部からの補正係数入力を省くことができ、作業の簡略化が可能となる。
【発明を実施するための最良の形態】
【００３１】
以下に、本発明を実施するための最良の形態を、実施例に基づいて説明する。
【実施例１】
【００３２】
以下、図面を参照して本発明を適用した画像読み取り装置について説明する。
【００３３】
図２はシェーディング補正回路２００のブロック図で、図１の構成と共に、次のように動作する。
【００３４】
黒シェーディング補正は１０ｂｉｔの入力信号ＶＩ（ｎ）（ｎは画素番号を表す）から黒シェーディング補正回路２０１で黒補正データＢＫ（ｎ）を引くことによって行われ、ＶＩＢ（ｎ）として出力される。黒シェーディング補正の演算式を示す。
【００３５】
ＶＩＢ（ｎ）＝ＶＩ（ｎ）−ＢＫ（ｎ）  −  （１）
【００３６】
黒補正データＢＫ（ｎ）は黒補正メモリ２０３から入力信号ＶＩ（ｎ）に同期して読み出される。黒補正データＢＫ（ｎ）はランプ１０４の消灯時の読み取りデータを演算メモリ２０５を用いて複数ライン分取り込み、平均処理され黒補正メモリ２０３にＭ（ｎ）として保管されるものである。
【００３７】
黒シェーディング補正信号ＶＩＢ（ｎ）は次いで白シェーディング補正回路２０２でシェーディング係数データＣＤ（ｎ）との乗算処理が行われ、シェーディング補正信号ＶＯ（ｎ）として出力される。シェーディング係数データＣＤ（ｎ）は係数メモリ２０４（ｎ）から黒シェーディング補正信号ＶＩＢ（ｎ）に同期して読み出される。
【００３８】
シェーディング係数はランプ１０４を点灯させた状態で基準白板１０２を読み取ったデータを演算メモリ２０５を用いて複数ライン分取り込み、所定の演算を行った結果が係数メモリ２０４に保管されるものである。白シェーディング補正回路２０２の演算式を示す。
【００３９】
ＶＯ（ｎ）＝ＶＩＢ（ｎ）×ＣＤ（ｎ）  −  （２）
【００４０】
次に黒補正データ及びシェーディング係数データの取り込み詳細手順を次に説明する。
【００４１】
シェーディング補正回路２００の各部の制御はＣＰＵ２１１によってなされており、後述する設定、計算はＣＰＵ２１１により行われるものである。
【００４２】
（１）黒補正データ算出方法
はじめにに照明ランプ１０４を消灯した状態で、演算メモリ２０５に６４ライン分の加算データが取り込まれる。この際、黒シェーディング補正回路２０１、白シェーディング補正回路２０２は、スルー設定（何も処理しない）される。
【００４３】
加算処理は演算メモリ２０５から読み出されたデータと入力データが加算回路２０８で加算され、再び演算メモリ２０５に書き込まれることによって実行される。
【００４４】
演算メモリ２０５は１６ｂｉｔ構成であり、入力信号は１０ｂｉｔなので６４ラインまでの加算処理が可能で、加算ライン数は２のｍ乗で指定される。
【００４５】
次に平均回路２０９で演算メモリ２０５内の加算データの平均化が行われ、その結果データが黒補正メモリ２０５に保存される。平均回路２０９ではビットのシフト処理で平均処理を行うものである。
【００４６】
以上の動作によって黒補正メモリ２０３へ黒補正データが設定される。
【００４７】
（２）シェーディング補正係数算出方法
ランプ１０４を点灯させた状態で基準白板１０２を読み取り、演算メモリ２０５に６４ライン分の加算データを保存し、その後平均回路２０９で平均処理を行った結果が再び演算メモリ２０５に保存される。
【００４８】
次に除算回路２０７によってシェーディングターゲット保管レジスタ２０６に保管されるシェーディングターゲット（ＳＨＴ）と、演算メモリ２０５に保管されるデータＭ（ｎ）との間で次の除算演算が行われ、その結果が係数メモリ２０４に保管される。下記に演算式を示す。
【００４９】
ＣＤ（ｎ）＝ＳＨＴ／Ｍ（ｎ）  −  （３）
【００５０】
以上の処理を持ってシェーディング補正係数データが算出される。
【００５１】
なおシェーディングターゲットは基準白板の濃度値から決定される固定値で、不揮発性メモリ（図示せず）に記憶されているものである。
【００５２】
２１０はＥＣコート補正値保管レジスタである。ＥＣコート処理された原稿台ガラス１０１により生じる読み取り画像のレベル低下を補正する際に使用する係数が記憶されている。詳細については後述する。
【００５３】
カラー画像読み取り装置の場合は上記説明した処理回路がＲＧＢ用に３系統用意されている。
【００５４】
図３は本発明に係る原稿台ガラス１０１を表した図である。
【００５５】
３０１ａ，３０１ｂはそれぞれ副走査、主走査サイズ指標であり、原稿の載置位置を決める原稿突き当て部材としても機能する。３０２はＥＣコート補正白板であり、サイズ指標３０１に覆われるように取り付けられており、原稿台ガラス１０１の表面からは見えないが、裏面からは見えるように、すなわちスキャンにより読み取れるようになっている。ＥＣコート補正白板３０２をスキャンする際には、ＥＣコート処理された原稿台１０１を介して読み取る。なお、ＥＣコート補正白板３０２は基準白板１０２と同じものであり、サイズは１０ｍｍ四方である。
【００５６】
ＥＣコート補正が実行されると、ＥＣコート補正白板３０２の読み取り動作が開始され、ＥＣコート補正白板３０２の所定領域について読み取り平均値が算出されるよう制御される。
【００５７】
ＥＣコート補正白板３０２の読み取り平均値の算出について説明する。
【００５８】
図４は原稿台ガラス１０１のＥＣコート補正白板３０２近傍の拡大図であり、平均値算出領域を示すものである。
【００５９】
駆動手段により第１ミラーユニット１１１、第２ミラーユニット１１２は基準白板１０２下まで移動させられ、基準白板１０２を読み取り、シェーディング係数が算出される。シェーディング係数が終了すると、読み取り動作が開始される。このとき、黒シェーディング、白シェーディングを共に有効にして読み取りが行われる。
【００６０】
上記ミラーユニットがＥＣコート補正白板３０２の副走査方向の所定の位置の達したとき、ＣＰＵ２１１により平均回路２０９がＯＮされる。図４の例では副走査位置が１０００になったとき、平均回路２０９がＯＮされる。なお、数値は副走査方向の有効画像領域（原稿画像領域）開始点を０基準としており、副走査方向のライン数を示している。平均処理は６４ライン分（約２．７ｍｍ）にわたってなされ、１０６４ライン到達時点で終了する。
【００６１】
読み取り動作終了後、演算メモリ２０４に記憶されている副走査方向平均処理された読み取りデータから、ＥＣコート補正白板３０２の主走査位置に対応するデータを読み出し、平均処理を行う。
【００６２】
データを読み出す範囲は基準は主走査方向の有効画像領域（原稿画像領域）を基準とし、ＥＣコート基準白板３０２の主走査方向１０ｍｍの中央部６４画素分（約２．７ｍｍ）を読み出すように制御される。具体的には図４において３５４画素目を基準とし、白板中央領域の２０４画素（Ｍ（２０４））から２６８（Ｍ（２６８））画素の６４画素分のデータを読み出し、平均値を算出する。
【００６３】
このようにして、ＥＣコート補正白板３０２の中央部６４×６４画素領域の平均読み取り値が算出される。算出された平均値はそれぞれＲＥＣ、ＧＥＣ、ＢＥＣととして記憶手段など（図示せず）に記憶される。
【００６４】
次にＥＣコート補正値の算出が行われる。
【００６５】
ＥＣコート補正値は上記算出したＥＣコート補正白板３０２の読み取り値ＲＥＣ、ＧＥＣ、ＢＥＣとシェーディングターゲットとの比から算出され、算出式は下記となる。
【００６６】
ＥＣ＿Ｒ＝ＳＨＴ＿Ｒ／ＲＥＣ
ＥＣ＿Ｇ＝ＳＨＴ＿Ｇ／ＧＥＣ  −  （４）
ＥＣ＿Ｂ＝ＳＨＴ＿Ｂ／ＢＥＣ
【００６７】
ＥＣ＿Ｒ、ＥＣ＿Ｇ、ＥＣ＿ＢはそれぞれＲＧＢ各色のＥＣコート補正値、ＳＨＴ＿Ｒ、ＳＨＴ＿Ｇ、ＳＨＴ＿ＢはそれぞれＲＧＢ各色のシェーディングターゲット値である。ＥＣ＿Ｒ、ＥＣ＿Ｇ、ＥＣ＿Ｂは不揮発性メモリ（図示せず）に記憶される。
【００６８】
なお、原稿搬送装置を装備しない画像読み取り装置においては、原稿台ガラスにはＥＣコート処理が不要なので、このときのＥＣ補正係数はＥＣ＿Ｒ＝ＥＣ＿Ｇ＝ＥＣ＿Ｒ＝１となる。
【００６９】
上記算出したＥＣコート補正値はＥＣコート処理がなされた原稿台ガラスを読み取ったときに生じる読み取りレベルの低下率を表している。したがって、この低下率分を補うようにシェーディングターゲットを変更することにより、ＥＣコートによるレベル低下を補正することが可能である。ＥＣコートによるレベル低下補正を行うためのシェーディングターゲットは次式で算出される。
【００７０】
ＳＨＴ＿ＲＥＣ    ＝  ＥＣ＿Ｒ×ＳＨＴ＿Ｒ
ＳＨＴ＿ＧＥＣ  ＝  ＥＣ＿Ｇ×ＳＨＴ＿Ｇ  −  （５）
ＳＨＴ＿ＢＥＣ  ＝  ＥＣ＿Ｂ×ＳＨＴ＿Ｂ
【００７１】
ＳＨＴ＿Ｒ、ＳＨＴ＿Ｇ、ＳＨＴ＿Ｂは不揮発性メモリに記憶されているシェーディングターゲット値、ＳＨＴ＿ＲＥＣ、ＳＨＴ＿ＧＥＣ、ＳＨＴ＿ＢＥＣ  は上式で算出されたＥＣコート補正シェーディングターゲット値である。
【００７２】
図５はＥＣコート補正値算出のフローチャートである。
【００７３】
Ｓ５００でＥＣコート補正値算出が開始される。動作開始はメンテナンスモードで行われるものであり、作業者による操作部からの入力命令により実行されるものである。
【００７４】
Ｓ５０１に移行すると、シェーディングターゲット保管レジスタ２０６に設定されているシェーディングターゲット値と基準白板１０２の読み取りデータに基づいてシェーディング係数が算出され、読み取りが開始される。
【００７５】
ミラーユニットが副走査の所定位置に達するとＳ５０２にて副走査方向のライン平均処理が所定ライン分行われる。
【００７６】
Ｓ５０３では５０２にて算出された読み取りデータより所定の主走査位置から所定画素分のデータ読み出し、平均処理が行われる。平均ライン数、画素数は上記例では６４画素としたが、これに限るものではない。この時点でＥＣコート補正白板所定領域の読み取り値が算出されることになる。
【００７７】
Ｓ５０４では（４）式の計算が行われ、ＥＣコート補正値が算出され、Ｓ５０５にて算出されたＥＣコート補正値は不揮発性メモリに記憶され、処理終了となる。
【００７８】
上記算出されたＥＣコート補正係数によるＥＣコート補正シェーディングターゲットの算出、すなわち（５）式の計算は読み取り装置の電源投入時に行われる。
【００７９】
電源投入時にＣＰＵ２１１は不揮発性メモリに保管されているシェーディングターゲット、およびはＥＣコート補正値を読み出し、それらをそれぞれシェーディングターゲット保管レジスタ２０６、ＥＣコート補正値保管レジスタ２１０に設定する。
【００８０】
作業者により読み取り開始が命令されると、（５）式の演算が行われてＥＣコート補正シェーディングターゲットが算出される。そして、算出されたＥＣコート補正シェーディングターゲットに基づいて（３）式の演算でシェーディング係数を算出し、原稿読み取りが開始されるように制御される。
【００８１】
なお、不揮発性メモリにＥＣコート補正シェーディングターゲットを記憶させておき、それを電源投入時に読み出して、シェーディングターゲット保管レジスタ２０６に設定し、（５）の計算を省くような構成にしてもよい。
【００８２】
以上説明したように、本実施例では原稿台ガラスのＥＣコート起因の読み取りレベル変動を、原稿台ガラスの原稿画像領域外に配置した補正用白板を読み取り、その結果から補正係数を算出し、シェーディングターゲットを補正するようにしたので、補正量算出のための基準チャートなどが不要になり、また作業者による操作部からの補正量入力を省くことが可能となり、原稿台ガラス交換、あるいは製造工程での作業が簡略化が実現できる。
【実施例２】
【００８３】
次に、本発明の第２の実施例について説明する。
【００８４】
ＥＣコート補正白板３０２の読み取りにおいて、白シェーディングを有効として読み取りを実行するが、読み取り装置によってはこのとき使用するシェーディング係数が画像データの階調範囲を超えるシェーディングターゲットより算出されている場合がある。例えば、読み取りデータが２５６階調であり、それに対しシェーディングターゲット値は２８０レベルに設定されている場合がある。
【００８５】
基準白板１０２とＥＣコート補正白板３０２は同じものを使用しているので、このような場合、ＥＣコート補正白板３０２の読み取り結果は２５６レベルを超えるように読み取られ、得られる読み取り結果はデータ階調上限の２５６レベルとなってしまい、補正係数算出に不都合が生じる。
【００８６】
このような場合はＥＣコート補正係数算出時にシェーディングターゲットをデータ階調にあわせて変更させればよい。例えば、読み取りデータが２５６階調なら、シェーディングターゲット値は２００レベルに設定し、ＥＣコート補正係数算出を実行すればよい。このように設定すれば、ＥＣコート補正白板３０２の読み取りレベルは２００レベル近傍となり、読み取り結果の階調が確保されるので、補正係数算出の際に不都合を生じることがなくなる。
【００８７】
図６は上記の点を考慮したＥＣコート補正値算出のフローチャートである。図５のフローチャートと同じ処理については、図５と同じ番号を記している。
【００８８】
Ｓ６００でＥＣコート補正値算出が開始されると、Ｓ６０１にてＣＰＵは画像データの階調を考慮したシェーディングターゲットをシェーディングターゲット保管レジスタ２０６に設定する。
【００８９】
Ｓ５０１に移行すると、Ｓ６０１にて設定されたシェーディングターゲット値と基準白板１０２の読み取りデータに基づいてシェーディング係数が算出され、読み取りが開始される。
【００９０】
このとき、シェーディングターゲットは階調を考慮した設定がなされているので、ＥＣコート補正白板読み取り値が飽和することはない。
【００９１】
Ｓ５０２からＳ５０４までの処理は図５での説明と同様である。
【００９２】
Ｓ５０５にてシェーディングターゲット保管レジスタ２０６の設定値はデフォルトのシェーディングターゲット値に戻され、処理は終了となる。
【００９３】
上述したように、画像データの階調を超えるようなシェーディングターゲットが設定されているような場合に置いても、ＥＣコート補正値算出時にデータ階調を考慮したシェーディングターゲットを設定することにより、不具合なくＥＣコート補正白板を読み取ることができるので、正確にＥＣコート補正係数を算出することが可能である。
【図面の簡単な説明】
【００９４】
【図１】画像読み取り装置の基本構成を示す図
【図２】本発明の実施例１を示すシェーディング補正回路のブロック図
【図３】本発明の実施例１のＥＣコート基準白板を有する原稿台ガラスを説明する図
【図４】本発明の実施例１のＥＣコート基準白板の読み取り領域を説明する図
【図５】本発明の実施例１のＥＣコート補正値算出フローチャート
【図６】本発明の実施例２のＥＣコート補正値算出フローチャート
【符号の説明】
【００９５】
１００  画像読み取り装置
１０１  原稿台ガラス
１０２  基準白板
１０３  基準白板ガラス
１１０  ラインセンサ
２０１  黒シェーディング補正回路
２０２  白シェーディング補正回路
２０３  黒補正メモリ
２０４  係数メモリ
２０５  演算メモリ
２０６  シェーディングターゲット保管レジスタ
２０７  除算回路
２０９  平均回路
２１０  ＥＣコート補正値保管レジスタ
２１１  ＣＰＵ
３０２  ＥＣコート補正白板
【図１】
2007006225.tif 000003
【図２】
2007006225.tif 000004
【図５】
2007006225.tif 000005
【図６】
2007006225.tif 000006
【図３】
2007006225.tif 000007
【図４】
2007006225.tif 000008